(57)【特許請求の範囲】
【請求項１】
モータケースの一端側にある凸部から突出したモータ軸に偏心錘を取着し、前記モータケースの反凸部側の開口を塞ぐ樹脂製端蓋に一対のモータ端子を取着して成る振動モータ本体と、この振動モータ本体を担持して基板上に設置するべき据付金具とを備えた振動モータにおいて、
前記据付金具は、前記モータケースの胴部周面に面して軸方向に配向し前記基板の固着用パターンに接合するべき底上げ平板状部と、この底上げ平板状部から延在して前記凸部に対し軸方向に外嵌した首輪状支持片と、前記底上げ平板状部から反凸部側へ延在して前記樹脂製端蓋に設けた位置決め凹所に対し軸方向に差し込んだ差し込み支持片とを有することを特徴とする振動モータ。
【請求項２】
請求項１に記載の振動モータにおいて、前記据付金具は、前記底上げ平板状部から前記差し込み支持片へ連絡して前記胴部周面に接する添接板部を有し、この添接板部と前記胴部周面とを溶接固定して成ることを特徴とする振動モータ。
【請求項３】
請求項１又は請求項２に記載の振動モータにおいて、前記モータ端子の夫々は前記基板の給電パターンに対応して接合するべき接合片部を有し、前記樹脂製端蓋は前記各接合片部と前記胴部周面の前記開口側との間に介在する第１及び第２のスペーサ部を有し、前記位置決め凹所は前記第１及び第２のスペーサ部に夫々対応して前記モータケースの太さ方向に相離間した第１及び第２の位置決め凹所であり、前記差し込み支持片の両側縁の近傍が第１及び第２の位置決め凹所に嵌まっていることを特徴とする振動モータ。
【請求項４】
請求項３に記載の振動モータにおいて、前記添接板部は前記差し込み支持片よりも幅広であって、前記添接板部のうち前記差し込み支持片の両側縁から幅方向へはみ出た先端縁の双方が前記第１及び第２のスペーサ部の先端面に当接して成ることを特徴とする振動モータ。
【発明の詳細な説明】
【技術分野】
【０００１】
本発明は、リフローソルダリングによる印刷配線板への表面実装に適した振動モータに関する。
【背景技術】
【０００２】
印刷配線板への表面実装に適した構造の振動モータとしては、例えば、特開平１１−２３４９４３に開示の如く、モータ軸の一端に偏心錘を取着した振動モータ本体と、この振動モータ本体のモータケースを上部から嵌め受けて底上げ保持する一対の挟持片を備えた据付金具と、モータケースの反偏心錘側の開口を塞ぐ樹脂製端蓋（エンドブラケット）に取着した一対のモータ端子とを有し、金属製据付枠の平坦状底面及び一対のモータ端子を印刷配線板の固着パターン及び一対の給電パターンにクリーム半田塗布で密着させてリフローソルダリングにより固着したものが知られている。
【特許文献１】特開平１１−２３４９４３（図１〜図３）
【発明の開示】
【発明が解決しようとする課題】
【０００３】
しかしながら、上記の振動モータにあっては次のような問題点があった。即ち、上部に開いた一対の挟持片の弾性力でモータケースを挟着しているため、一対の挟持片がモータケースの太さよりも幅方向にはみ出し、その分、基板の占有面積を消費している。
【０００４】
そこで上記問題点に鑑み、本発明の課題は、モータケースの太さ以内に幅寸法を収めることができる据付金具を持つ振動モータを提供することにある。
【課題を解決するための手段】
【０００５】
上記課題を解決するために、本発明に係る振動モータは、モータケースの一端側にある凸部から突出したモータ軸に偏心錘を取着し、モータケースの反凸部側の開口を塞ぐ樹脂製端蓋に一対のモータ端子を取着して成る振動モータ本体と、この振動モータ本体を担持して基板上に設置するべき据付金具とを備えた振動モータにおいて、据付金具は、モータケースの胴部周面に面して軸方向に配向し基板の固着用パターンに接合するべき底上げ平板状部と、この底上げ平板状部から延在して凸部に対し軸方向に外嵌した首輪状支持片と、底上げ平板状部から反凸部側へ延在して樹脂製端蓋に設けた位置決め凹所に対し軸方向に差し込んだ差し込み支持片とを有する。
【０００６】
この振動モータの組立においては、据付金具の差し込み支持片をモータケースの胴部周面の軸方向に沿って凸部側から反凸側へ動かすことにより、差し込み支持片が樹脂製端蓋の位置決め凹所に差し込まれると共に首輪状支持片が凸部に外嵌し、据付金具がモータケースに一体化し、この後、凸部から突出したモータ軸に偏心錘を取着することができるため、組立作業の容易化を図ることができる。また、樹脂製端蓋の位置決め凹所はモータケースの太さ以内に設けることができ、据付金具の両支持片もモータケースの太さ以内に収まることから、据付金具の底上げ平板状部もモータケースの太さ以内に収めることができ、基板の占有面積を振動モータの占有面積内に実質上留めることができる。しかも、この据付金具は簡単な構成であるため、製造容易で低コスト化を図ることができる。
【０００７】
据付金具は底上げ平板状部から差し込み支持片へ連絡して胴部周面に接する添接板部を有し、この添接板部と胴部周面とを溶接固定して成ることが望ましい。振動モータ本体と据付金具との強固な一体化を図ることができる。
【０００８】
そして、モータ端子は基板の給電パターンに対応して接合するべき接合片部を夫々有し、樹脂製端蓋は各接合片部と胴部周面の開口側との間に介在する第１及び第２のスペーサ部を有し、位置決め凹所は第１及び第２のスペーサ部に夫々対応してモータケースの太さ方向に相離間した第１及び第２の位置決め凹所であり、差し込み支持片の両側縁の近傍が第１及び第２の位置決め凹所に嵌まっている。
【０００９】
また、添接板部は差し込み支持片よりも幅広であって、添接板部のうち前記差し込み支持片の両側縁から幅方向へはみ出た先端縁の双方が第１及び第２のスペーサ部の先端面に当接して成る。
【発明を実施するための最良の形態】
【００１０】
次の本発明の実施例を添付図面に基づいて説明する。
【００１１】
図１（Ａ）は本発明の実施例に係る振動モータを示す斜視図、図１（Ｂ）は同振動モータを裏側から見た斜視図、図２（Ａ）は同振動モータの正面図、図２（Ｂ）は同振動モータの底面図、図３（Ａ）は同振動モータの平面図、図３（Ｂ）は同振動モータの右側面図、図３（Ｃ）は同振動モータの左側面図、図４は同振動モータの組立斜視図である。
【００１２】
本例の振動モータ１は振動モータ本体１０とこれを担持する据付金具２０とを有する。振動モータ本体１０は、小判形のモータケース１１の一端側にあるバーリング部１１ａから突出したモータ軸１２に偏心錘１３を取着し、モータケース１１の開口１１ｂを塞ぐ樹脂製端蓋１４に一対のモータ端子１５，１６を取着して成る。なお、本例ではバーリング部１１ａが軸受１７を保持する軸受ハウジング部であるが、バーリング部１１ａがなく、軸受１７の一部が露出した構造でも構わない。モータケース１１の内周面には一対の永久磁石（図示せず）が固定されており、開口１１ｂからロータ１８が差し込み内蔵され、軸受１７からモータ軸１２が突出している。
【００１３】
樹脂製端蓋（エンドキャップ）１４は、図６に示す如く、内部空間にブラシ対Ｂ（図４参照）を保持して開口１１ｂに内嵌する小判形のブラシホルダ部１４ａと、このブラシホルダ部１４ａの嵌合深さを規定するフランジ部１４ｂと、ブラシホルダ部１４ａに対し溝Ｖ１，Ｖ２をあけてフランジ部１４ｂの隣接隅部から夫々柱状に起立した第１及び第２のスペーサ部１４ｃ，１４ｄとを一体的に有する。第１のスペーサ部１４ｃと第２のスペーサ部１４ｄとは空き間Ｓを介して相対向しており、第１のスペーサ部１４ｃはその先端面側と溝Ｖ１側と空き間Ｓ側とに夫々開放した第１の位置決め凹所Ｗ１を有し、第２のスペーサ部１４ｄはその先端面側と溝Ｖ２側と空き間Ｓ側とに夫々開放した第２の位置決め凹所Ｗ２を有している。
【００１４】
モータ端子１５，１６は、樹脂製端蓋１４の端面に重なりブラシ対Ｂの通電部材（図示せず）にそれぞれ半田付けされた添接片部１５ａ，１６ａと、添接片部１５ａ，１６ａから延在して折曲し、第１及び第２のスペーサ部１４ｃ，１４ｄの底面に重なって基板（図示せず）の給電パターンに対応して接合するべき接合片部１５ｂ，１６ｂを有する。
【００１５】
据付金具２０は、図５に示す如く、モータケース１１の胴部平坦面に面して軸方向に配向し基板（図示せず）の固着用パターンに接合するべき底上げ平板状部２１と、この底上げ平板状部２１から延在して折曲しバーリング部１１ａに対し軸方向に外嵌した首輪状支持片２２と、底上げ平板状部２１から開口１１ｂ側へ延在してモータケース１１の胴部平坦面に接する添接板部２３と、この添接板部２３から開口１１ｂ側へ幅狭に延在して樹脂製端蓋１４の空き間Ｓに対し軸方向に差し込んだ差し込み支持片２４とを有する。差し込み支持片２４の両側縁２４ａ，２４ｂの近傍が第１及び第２の位置決め凹所Ｗ１，Ｗ２に嵌まっており、添接板部２３の先端縁２３ａ，２３ｂが第１及び第２のスペーサ部１４ｃ，１４ｄの先端面に当接している。
【００１６】
底上げ平板状部２１は半田溜まり用丸孔Ｈを有し、その両側縁には複数の半田溜り用切り込みＭが形成されている。また、首輪状支持片２２の折曲部２２ａの両サイドに切り込みｍをおいて首輪状支持片２２側に張り出た前方突片２１ａ，２１ａが形成されている。
【００１７】
添接板部２３は底上げ平板状部２１から折曲し、添接板部２３と差し込み支持片２４とに跨ったスポット溶接用箇所Ｐにてモータケース１１の胴部平坦面と溶接固定されている。
【００１８】
この振動モータ１の組立においては、据付金具２０の差し込み支持片２４をモータケース１１の胴部平坦面の軸方向に沿ってバーリング部１１ａ側から開口１１ｂ側へ動かすことにより、差し込み支持片２４の両側縁２４ａ，２４ｂが第１及び第２の位置決め凹所Ｗ１，Ｗ２に差し込まれると共に首輪状支持片２２がバーリング部１１ａに外嵌し、据付金具２０がモータケース１１に一体化し、スポット溶接用箇所Ｐにてスポット溶接を施した後、バーリング部１１ａから突出したモータ軸１２に偏心錘１３を取着することができるため、組立作業の容易化を図ることができる。また、樹脂製端蓋１４の第１及び第２の位置決め凹所Ｗ１，Ｗ２はモータケース１１の太さ以内に設けることができ、据付金具２０の差し込み支持片２４もモータケース１１の太さ以内に収まることから、据付金具２０の底上げ平板状部２１もモータケース１１の太さ以内に収めることができ、図３（Ａ）に示す如く、据付金具２０が振動モータ本体１０からはみ出さずに済み、基板の占有面積を抑制することができる。更に、この据付金具２０は簡単な構成であるため、製造容易で低コスト化を図ることができる。
【図面の簡単な説明】
【００１９】
【図１】（Ａ）は本発明の実施例に係る振動モータを示す斜視図、（Ｂ）は同振動モータを裏側から見た斜視図である。
【図２】（Ａ）は同振動モータの正面図、（Ｂ）は同振動モータの底面図である。
【図３】（Ａ）は同振動モータの平面図、（Ｂ）は同振動モータの右側面図、（Ｃ）は同振動モータの左側面図である。
【図４】同振動モータの組立斜視図である。
【図５】（Ａ）は同振動モータに用いる据付金具を示す斜視図、（Ｂ）は同据付金具を裏側から見た斜視図、（Ｃ）は同据付金具の底面図である。
【図６】（Ａ）は同振動モータに用いる端蓋を示す斜視図、（Ｂ）は同端蓋の平面図である。
【符号の説明】
【００２０】
１…振動モータ
１０…振動モータ本体
１１…モータケース
１１ａ…バーリング部
１１ｂ…開口
１２…モータ軸
１３…偏心錘
１４…樹脂製端蓋
１４ａ…ブラシホルダ部
１４ｂ…フランジ部
１４ｃ…第１のスペーサ部
１４ｄ…第２のスペーサ部
１５，１６…モータ端子
１５ａ，１６ａ…添接片部
１５ｂ，１６ｂ…接合片部
１７…軸受
１８…ロータ
２０…据付金具
２１…底上げ平板状部
２１ａ…前方突片
２２…首輪状支持片
２２ａ…折曲部
２３…添接板部
２３ａ，２３ｂ…先端縁
２４…差し込み支持片
２４ａ，２４ｂ…側縁
Ｂ…ブラシ対
Ｈ…半田溜まり用丸孔
Ｍ…半田溜り用切り込み
ｍ…切り込み
Ｐ…スポット溶接用箇所
Ｓ…空き間
Ｖ１，Ｖ２…溝
Ｗ１…第１の位置決め凹所
Ｗ２…第２の位置決め凹所
【図１】
0005074935.tif 000002
【図２】
0005074935.tif 000003
【図３】
0005074935.tif 000004
【図４】
0005074935.tif 000005
【図５】
0005074935.tif 000006
【図６】
0005074935.tif 000007